(57)【要約】      （修正有）【課題】保冷剤からの冷気を十分に被保冷物に到達させ、被保冷物を効率良く冷却する輸送容器を提供する。【解決手段】輸送容器は、発泡樹脂製で一面に開口を有する矩形の箱状に形成され、この開口を向かい合わせるようにして互いに連結される一対の容器本体１、２を備える。容器本体１、２は、開口と相対する独立側面１１と、独立側面１１の対峙する二辺から立設された一対の連結側面１２、１３と、独立側面１１の内側から立設され被保冷物の側面を支持する側面支持部３と、側面支持部３と連結側面１２、１３との間に設けられ保冷剤を収容する一対の保冷剤収容部４１、４２と、を有し、側面支持部３に、保冷剤収容部４１、４２同士を連通させる連通溝５が設けられている。このような構成によれば、保冷剤からの冷気が連通溝５を通って輸送容器内に効率良く充満するので、保冷剤からの冷気を十分に被保冷物に到達させ、被保冷物を効果的に冷却することができる。【選択図】図３
0003230569.tif 000002
【実用新案登録請求の範囲】
【請求項１】
筒状の被保冷物を輸送するための発泡樹脂製の輸送容器であって、
一面に開口を有する矩形の箱状に形成され、前記開口を向かい合わせるようにして互いに連結されて内部に被保冷物を収容する収容空間を形成する一対の容器本体を備え、
前記一対の容器本体は、前記開口と相対する独立側面と、前記独立側面の対峙する二辺から立設され前記収容空間の互いに対向する二側面を成す一対の連結側面と、前記独立側面の内側から立設され被保冷物の側面を支持する側面支持部と、前記側面支持部と前記一対の連結側面との間に設けられ保冷剤を収容する一対の保冷剤収容部と、を有し、
前記側面支持部に、前記一対の保冷剤収容部同士を連通させる連通溝が設けられていることを特徴とする輸送容器。
【請求項２】
被保冷物は、筒状断面が小さくなるような湾曲面を有し、
前記容器本体は、前記一対の連結側面同士を繋ぐように設けられ被保冷物の湾曲面を支持する湾曲面支持部を有することを特徴とする請求項１に記載の輸送容器。
【請求項３】
前記容器本体は、前記独立側面の他の対峙する二辺の一方から立設され前記収容空間の底面を成す連結底面と、前記連結底面の内側に設けられ被保冷物の底面を支持する底面支持部と、を有することを特徴とする請求項１又は請求項２に記載の輸送容器。
【請求項４】
前記一対の容器本体は、互いに連結するための連結部を有し、
前記連結部は、前記開口を成す四辺に沿って設けられ、外側が凸となった外凸条部と、内側が凸となった内凸条部と、から成り、
前記外凸条部及び内凸条部は、それぞれ対角に配置され、互いに摺接し合うことを特徴とする請求項１乃至請求項３のいずれか一項に記載の輸送容器。
【考案の詳細な説明】
【技術分野】
【０００１】
本考案は、被保冷物を冷却しながら輸送するための発泡樹脂製の輸送容器に関する。
【背景技術】
【０００２】
従来から、保冷剤からの冷気で被保冷物を冷却しながら輸送する輸送容器が知られている（例えば、特許文献１参照）。このような輸送容器は、例えば、真空層又は断熱層を有する材料から成り、ペットボトル飲料が収容される円筒状のペットボトル収容部と、保冷剤が収容される保冷剤収容部と、を有する。保冷剤収容部は、ペットボトル収容部の両脇に一対設けられ、ペットボトル収容部と連通路を介して連通している。
【先行技術文献】
【特許文献】
【０００３】
【特許文献１】特開平８−６１８１９号公報
【考案の概要】
【考案が解決しようとする課題】
【０００４】
しかしながら、上述したような輸送容器では、連通路が細くて保冷剤からの冷気が十分に被保冷物に到達しないので、被保冷物を効率良く冷却することができない。
【０００５】
本考案は、上記課題を解決するものであって、保冷剤からの冷気を十分に被保冷物に到達させ、被保冷物を効果的に冷却することができる輸送容器を提供することを目的とする。
【課題を解決するための手段】
【０００６】
本考案は、筒状の被保冷物を輸送するための発泡樹脂製の輸送容器であって、一面に開口を有する矩形の箱状に形成され、前記開口を向かい合わせるようにして互いに連結されて内部に被保冷物を収容する収容空間を形成する一対の容器本体を備え、前記一対の容器本体は、前記開口と相対する独立側面と、前記独立側面の対峙する二辺から立設され前記収容空間の互いに対向する二側面を成す一対の連結側面と、前記独立側面の内側から立設され被保冷物の側面を支持する側面支持部と、前記側面支持部と前記一対の連結側面との間に設けられ保冷剤を収容する一対の保冷剤収容部と、を有し、前記側面支持部に、前記一対の保冷剤収容部同士を連通させる連通溝が設けられていることを特徴とする。
【０００７】
被保冷物は、筒状断面が小さくなるような湾曲面を有し、前記容器本体は、前記一対の連結側面同士を繋ぐように設けられ被保冷物の湾曲面を支持する湾曲面支持部を有することが好ましい。
【０００８】
前記容器本体は、前記独立側面の他の対峙する二辺の一方から立設され前記収容空間の底面を成す連結底面と、前記連結底面の内側に設けられ被保冷物の底面を支持する底面支持部と、を有することが好ましい。
【０００９】
前記一対の容器本体は、互いに連結するための連結部を有し、前記連結部は、前記開口を成す四辺に沿って設けられ、外側が凸となった外凸条部と、内側が凸となった内凸条部と、から成り、前記外凸条部及び内凸条部は、それぞれ対角に配置され、互いに摺接し合うことが好ましい。
【考案の効果】
【００１０】
本考案の輸送容器によれば、保冷剤からの冷気が連通溝を通って輸送容器内に効率良く充満するので、保冷剤からの冷気を十分に被保冷物に到達させ、被保冷物を効果的に冷却することができる。
【図面の簡単な説明】
【００１１】
【図１】本考案の実施形態に係る輸送容器の分解斜視図。
【図２】上記輸送容器を構成する容器本体に被保冷物及び保冷剤を収容した図。
【図３】上記容器本体の斜視図。
【図４】上記輸送容器の断面図。
【図５】（ａ）は、輸送時における上記容器本体の平面図、（ｂ）は、輸送時における上記輸送容器の斜視図。
【図６】（ａ）は、輸送時における上記容器本体の平面図、（ｂ）は、（ａ）の容器本体を連結側面側から見たときの断面図。
【考案を実施するための形態】
【００１２】
本考案の実施形態に係る輸送容器について図面を参照して説明する。図１及び図２に示すように、輸送容器１０は、筒状の被保冷物Ｂ及び保冷剤Ｃを収容し、保冷剤Ｃからの冷気で被保冷物Ｂを冷却しながら輸送するのに用いられる。被保冷物Ｂは、図例では日本酒等を入れる円筒状のボトルにより構成され、以下では、その外面を底面Ｂ１と、底面Ｂ１とは反対側にあり底面Ｂ１から離れるにつれて筒状断面が小さくなる湾曲面Ｂ２と、底面Ｂ１と湾曲面Ｂ２との間にある側面Ｂ３と、に分けて説明する。
【００１３】
輸送容器１０は、可逆的に連結及び分割可能な一対の容器本体１、２を備える。容器本体１、２は、互いに同形状とされ、一面に開口を有する矩形の箱状に形成されている。容器本体１、２は、各々の開口を向かい合わせ、この開口からボトルＢの側面Ｂ３を一側及び他側より挟み込むようにして互いに連結される。これにより、容器本体１、２の内部にボトルＢ及び保冷剤Ｃを収容する収容空間ＳＰ（図１参照）が形成される。容器本体１、２は、共に発泡樹脂、例えば、発泡ポリスチレン（ＥＰＳ（Ｅｘｐａｎｄｅｄ  Ｐｏｌｙｓｔｙｒｅｎｅ））により構成されている。
【００１４】
図３に示すように、容器本体１、２は、開口と相対する独立側面１１と、独立側面１１の対峙する２辺Ｓ１、Ｓ２から立設された一対の連結側面１２、１３と、独立側面１１の他の対峙する２辺Ｓ３、Ｓ４の一方（図例ではＳ３）から立設された連結底面１４と、連結底面１４に対向する連結上面１５と、を有する。ボトルＢ（不図示）は、その円筒が伸びる方向が辺Ｓ１、Ｓ２の伸びる方向と一致するようにして容器本体１、２に収容される。
【００１５】
また、容器本体１、２は、独立側面１１の内側から立設されボトルＢの側面Ｂ３を支持する側面支持部３と、側面支持部３と連結側面１２、１３との間に設けられ保冷剤Ｃ（不図示）を収容する一対の保冷剤収容部４１、４２と、を有する。側面支持部３は、その上端面にボトルＢの側面Ｂ３に沿うよう円弧状に切り欠かれた切り欠き部３１を有する。
【００１６】
側面支持部３には、保冷剤収容部４１、４２同士を連通させる連通溝５が設けられている。連通溝５は、側面支持部３を上方から独立側面１１まで掘り込むことで形成され、連結側面１２、１３を繋ぐ方向に沿って複数設けられている。これにより、側面支持部３は、複数の部分に分断されている。
【００１７】
また、容器本体１、２は、ボトルＢの湾曲面Ｂ２を支持する湾曲面支持部６と、ボトルＢの底面Ｂ１を支持する底面支持部７と、有する。底面支持部７は、連結底面１４の内側に掘り込まれて形成され、ボトルＢの底面Ｂ１にフィットするような半円状の窪みにより構成されている。湾曲面支持部６は、側面支持部３を挟んで底面支持部７とは反対側に設けられている。湾曲面支持部６は、連結側面１２、１３同士を繋ぐ平板状に形成され、その上端面にボトルＢの湾曲面Ｂ２に沿うよう円弧状に切り欠かれた切り欠き部６１を有する。切り欠き部６１は、底面支持部７から離れるに従って円弧のＲが小さくなるように形成されている。
【００１８】
また、容器本体１、２は、互いに連結するための連結部８を有する。連結部８は、容器本体１、２の開口を成す四辺に沿って、すなわち、連結側面１２、１３、連結底面１４及び連結上面１５の上端辺に沿って設けられ、外側が凸となった外凸条部８１（濃いドットで示す）と、内側が凸となった内凸条部８２（薄いドットで示す）と、から成る。
【００１９】
外凸条部８１は、連結側面１２の上端辺中点から連結上面１５の上端辺中点まで伸長した外凸条部８１ａと、連結側面１３の上端辺中点から連結底面１４の上端辺中点まで伸長した外凸条部８１ｂと、から成る。すなわち、外凸条部８１ａ、８１ｂは、対角に配置されている。これら外凸条部８１ａ、８１ｂは、幅Ｗの壁により構成され、その外側面が容器本体１、２の外側面と面一になるように設けられている。
【００２０】
一方、内凸条部８２は、連結側面１３の上端辺中点から連結上面１５の上端辺中点まで伸長した内凸条部８２ａと、連結側面１２の上端辺中点から連結底面１４の上端辺中点まで伸長した内凸条部８２ｂと、から成る。すなわち、内凸条部８２ａ、８２ｂは、対角に配置されている。これら内凸条部８２ａ、８２ｂは、外凸条部８１ａ、８１ｂと同じ高さの壁により構成され、容器本体１、２の外側面から幅Ｗだけ内方に入った箇所に設けられている。
【００２１】
また、容器本体１、２は、連結底面１４の下端中央に、ユーザが容器本体１、２を持つ際に持ち手となる持ち手部９を有する。持ち手部９は、連結底面１４から独立側面１１と平行に掘り込まれて形成された凹部により構成されている。持ち手部９は、図示していないが連結上面１５の下端中央にも設けられている。
【００２２】
図４に示すように、輸送容器１０にボトルＢをパッキングするには、独立側面１１が下側になるようにして容器本体１を配置し、容器本体１の保冷剤収容部４１、４２に保冷材Ｃを収容する。そして、容器本体１の側面支持部３、湾曲面支持部６（不図示）及び底面支持部７（不図示）に嵌まり込むようにボトルＢをセットする。次いで、容器本体１に対して容器本体２（ドットで示す）を各々の開口が向かい合うようにして接近させ、容器本体１、２の外凸条部８１の内側に内凸条部８２を入り込ませると、外凸条部８１と内凸条部８２とが摺接し合うことにより容器本体１、２が互いに連結される。これにより、ボトルＢは、容器本体１の側面支持部３、湾曲面支持部６及び底面支持部７と、容器本体２の側面支持部３、湾曲面支持部６（不図示）及び底面支持部７（不図示）との間に上下方向から挟まれてパッキングされる。
【００２３】
このとき、容器本体１の連結側面１２、１３は、それぞれ容器本体２の連結側面１３、１２と面一になるように連結され、収容空間ＳＰの互いに対向する二側面を成す。また、容器本体１の連結底面１４及び連結上面１５は、それぞれ容器本体２の連結底面１４及び連結上面１５と面一になるように連結され、収容空間ＳＰの互いに対向する他の二側面を成す（不図示）。
【００２４】
一方、図５（ａ）（ｂ）に示すように、上記のようにしてボトルＢをパッキングした輸送容器１０を輸送する際には、連結底面１４が下側になるようにして輸送容器１０を配置する。このとき、ボトルＢ（図５（ａ）参照）は、容器本体１、２の側面支持部３（不図示）、湾曲面支持部６及び底面支持部７に嵌まり込んでいるので、ボトルＢの横方向への移動が規制される。また、ボトルＢの底面Ｂ１が底面支持部７により支持された状態で、ボトルＢの湾曲面Ｂ２が底面支持部７から離れるに従って円弧のＲが小さくなる湾曲面支持部６（切り欠き部６１）により支持されているので、ボトルＢの縦方向への移動も規制される。これにより、輸送中のボトルＢの位置ずれを防止して、ボトルＢの安定な輸送を実現することができる。また、湾曲面支持部６が連結側面１２、１３同士を繋ぐように設けられているので、連結側面１２、１３を互いに近付けるような外力に対する輸送容器１０の強度を高めることができる。
【００２５】
図６（ａ）（ｂ）に示すように、輸送時において保冷剤Ｃから生じた冷気Ａ（図６（ａ）参照）は、連通溝５を通ってボトルＢの側面Ｂ３周囲に流れ込む。これにより冷気Ａが、保冷剤Ｃに隣接した側面Ｂ３だけでなく、側面支持部３により支持された側面Ｂ３にも到達して輸送容器１０の収容空間ＳＰ内に効率良く充満する。従って、ボトルＢを効果的に冷却して、ボトルＢの温度上昇を抑制することができる。また、容器本体１、２を発泡ポリスチレンにより構成すれば、発泡ポリスチレンの高い密閉性により冷気Ａが連結部８から外部に漏れるのを効果的に防ぐことができると共に、発泡ポリスチレンの高い断熱性により保冷効果を高めることができる。
【００２６】
なお、本考案に係る輸送容器は、上記実施形態に限定されず種々の変形が可能である。例えば、湾曲面支持部及び底面支持部は、必ずしも設けられる必要は無く、湾曲面支持部及び／又は底面支持部を設けない構成としてもよい。また、一対の容器本体は、必ずしも互いに同形状である必要は無く、互いに異なる形状であってもよい。更に、被保冷物は、必ずしも１本の円筒状ボトルである必要は無く、例えば、複数本の円筒状ボトルであってもよいし、角筒状に梱包された生鮮食品であってもよい。
【符号の説明】
【００２７】
１０  輸送容器
１、２  容器本体
１１  独立側面
１２、１３  連結側面
１４  連結底面
３  側面支持部
４１、４２  保冷剤収容部
５  連通溝
６  湾曲面支持部
７  底面支持部
８  連結部
８１、８１ａ、８１ｂ  外凸条部
８２、８２ａ、８２ｂ  内凸条部
Ｂ  被保冷物（ボトル）
Ｂ１  被保冷物の底面
Ｂ２  被保冷物の湾曲面
Ｂ３  被保冷物の側面
Ｃ  保冷剤
ＳＰ  収容空間
【図１】
0003230569.tif 000003
【図２】
0003230569.tif 000004
【図３】
0003230569.tif 000005
【図４】
0003230569.tif 000006
【図５】
0003230569.tif 000007
【図６】
0003230569.tif 000008